(57)【特許請求の範囲】
【請求項１】
商用ＡＣ電源を整流するダイオードブリッジと、前記ダイオードブリッジにより整流された電圧を平滑するインバータ用コンデンサと、圧縮機を駆動する圧縮機モータと、前記インバータ用コンデンサにより平滑されたＤＣ電圧をスイッチングにより前記圧縮機モータの各巻線に順次供給する圧縮機モータ用パワートランジスタアレイと、前記圧縮機モータ用パワートランジスタアレイを制御する圧縮機モータ用パワートランジスタアレイドライブ回路と、ファンを駆動するファンモータと、前記インバータ用コンデンサにより平滑さらたＤＣ電圧をスイッチングにより前記ファンモータの各巻線に順次供給するファンモータ用パワートランジスタアレイと、前記ファンモータ用パワートランジスタアレイを制御するファンモータ用パワートランジスタアレイドライブ回路と、前記圧縮機モータ用パワートランジスタアレイドライブ回路と前記ファンモータ用パワートランジスタアレイドライブ回路制御する制御部と、前記ファンモータ用パワートランジスタアレイドライブ回路と前記制御部間を接続試前記制御部からの前記ファンモータ用パワートランジスタアレイドライブ回路の制御信号を伝達するファンモータドライブ信号ラインと、前記インバータ用コンデンサにより平滑さらたＤＣ電圧を入力とし前記制御部と前記圧縮機モータ用パワートランジスタアレイドライブ回路と前記ファンモータ用パワートランジスタアレイドライブ回路に電源電圧を出力するＤＣ／ＤＣコンバータと、前記ファンモータドライブ信号ラインと前記商用ＡＣ電源に接続される低電圧検知回路を具備する空気調和機において、前記低電圧検知回路が前記商用ＡＣ電源の電圧が所定値以下であることを検知したときには、前記ファンモータドライブ信号を前記ファンモータ用パワートランジスタアレイのトランジスタがすべてＯＦＦする側に強制的に変更するように動作することを特徴とする空気調和機。
【請求項２】
商用ＡＣ電源を整流するダイオードブリッジと、前記ダイオードブリッジにより整流された電圧を平滑するインバータ用コンデンサと、圧縮機を駆動する圧縮機モータと、前記インバータ用コンデンサにより平滑されたＤＣ電圧をスイッチングにより前記圧縮機モータの各巻線に順次供給する圧縮機モータ用パワートランジスタアレイと、前記圧縮機モータ用パワートランジスタアレイを制御する圧縮機モータ用パワートランジスタアレイドライブ回路と、ファンを駆動するファンモータと、前記インバータ用コンデンサにより平滑さらたＤＣ電圧をスイッチングにより前記ファンモータの各巻線に順次供給するファンモータ用パワートランジスタアレイと、前記ファンモータ用パワートランジスタアレイを制御するファンモータ用パワートランジスタアレイドライブ回路と、前記圧縮機モータ用パワートランジスタアレイドライブ回路と前記ファンモータ用パワートランジスタアレイドライブ回路制御する制御部と、前記ファンモータ用パワートランジスタアレイドライブ回路と前記制御部間を接続試前記制御部からの前記ファンモータ用パワートランジスタアレイドライブ回路の制御信号を伝達するファンモータドライブ信号ラインと、前記インバータ用コンデンサにより平滑さらたＤＣ電圧を入力とし前記制御部と前記圧縮機モータ用パワートランジスタアレイドライブ回路と前記ファンモータ用パワートランジスタアレイドライブ回路に電源電圧を出力するＤＣ／ＤＣコンバータと、前記ファンモータドライブ信号ラインと前記商用ＡＣ電源に接続される低電圧検知回路を具備する空気調和機において、前記低電圧検知回路は前記インバータ用コンデンサにより平滑されたＤＣ電圧を検知し、前記低電圧検知回路が前記ＤＣ電圧が所定値以下であることを検知したときには、ファンモータドライブ信号をファンモータ用パワートランジスタアレイのトランジスタがすべてＯＦＦする側に強制的に変更するように動作することを特徴とする空気調和機。
【発明の詳細な説明】
【０００１】
【発明の属する技術分野】
本発明は、空気調和機に関するものである。
【０００２】
【従来の技術】
従来の空気調和機では図３に示すように、低電圧検知回路１３はファンモータ用パワートランジスタアレイドライブ回路９の電源に接続され、商用ＡＣ電源１の瞬時停電や電圧低下によるファンモータ用パワートランジスタアレイドライブ回路９の電源電圧の低下を検知しファンモータドライブ信号１１をファンモータ用パワートランジスタアレイ８のトランジスタがすべてＯＦＦする側に強制的に変更し、ファンモータ用パワートランジスタアレイドライブ回路９の電源電圧低下時の不安定動作によるファンモータ用パワートランジスタアレイ８の破壊を防止していた。
【０００３】
【発明が解決しようとする課題】
空気調和機でファンモータ用トランジスタアレイドライブ回路の電源電圧の低下は、商用ＡＣ電源の停電や電源プラグをコンセントから抜くといった商用ＡＣ電源から電流供給が遮断されることによりインバータ用コンデンサの電圧が低下しＤＣ／ＤＣコンバータの出力が低下することでおこる。
【０００４】
特に圧縮機運転中に商用ＡＣ電源の電流供給の遮断が起こった場合には、圧縮機の電源とファンモータ用パワートランジスタアレイドライブ回路の電源は共通のインバータ用コンデンサを用いているため、インバータ用コンデンサの電圧は急激に低下し、ファンモータ用トランジスタアレイドライブ回路の電源電圧は急激に低下する。
【０００５】
このため従来の技術では、低電圧検知回路の応答スピードを非常に早くするとともに、ファンモータ用トランジスタアレイドライブ回路の電源電圧を高く設定しファンモータ用トランジスタアレイドライブ回路の電源電圧の低下検知電圧自体を高く設定し保護動作開始までの時間を稼ぐという方法を取っていた。低電圧検知回路の応答スピードを早くすると、空気調和機への外来ノイズにより低電圧検知回路が誤動作する可能性が高まり、ファンモータ用トランジスタアレイドライブ回路の電源電圧を高く設定すると、ファンモータ用トランジスタアレイドライブ回路の電力ロスが増大するという課題を有していた。
【０００６】
【課題を解決するための手段】
上記課題を解決するために本発明では、ファンモータ用トランジスタアレイドライブ回路の電源電圧の低下は商用ＡＣ電源の遮断または低下により起こるという空気調和機に特有の性質に着目し、ファンモータ用トランジスタアレイドライブ回路の電源電圧の低下によるファンモータ用パワートランジスタアレイの破壊防止をファンモータ用トランジスタアレイドライブ回路の電源電圧そのものを検知して行うのではなく空気調和機の他の部位の電圧を検知することにより、ファンモータ用トランジスタアレイドライブ回路の電源電圧が低下するよりも先に保護動作を開始することにより上記課題を解決するものである。
【０００７】
【発明の実施の形態】
上記課題を解決するため、請求項１の発明は、商用ＡＣ電源の低下を検知する回路を設け、商用ＡＣ電源の低下または遮断により、ファンモータドライブ信号に保護動作をかけるものである。
【０００８】
また、請求項２の発明は、インバータ用コンデンサにより平滑されたＤＣ電圧の低下を検知する回路を設け、インバータ用コンデンサにより平滑されたＤＣ電圧の低下により、ファンモータドライブ信号に保護動作をかけるものである。
【０００９】
以下本発明の実施の形態について図面を参照して説明する。
（実施の形態１）
図１に示すように、低電圧検知回路１３は商用ＡＣ電源１に接続され、商用ＡＣ電源１の電圧が低下すると、ファンモータドライブ信号１１をファンモータ用パワートランジスタアレイ８のトランジスタがすべてＯＦＦする側に強制的に変更するように動作する。
【００１０】
上記構成において、商用ＡＣ電源１の電圧が停電等により遮断されたとき、インバータ用コンデンサ３の電圧が下がり、ＤＣ／ＤＣコンバータ１２が電圧出力可能な入力電圧範囲をしたまわったときに初めてファンモータ用パワートランジスタアレイドライブ回路９の電源電圧が下がり始めるので、低電圧検知回路１３が商用ＡＣ電源１の電圧低下を検知してからファンモータドライブ信号１１に保護をかけるまでには十分な時間があり低電圧検知回路１３の応答性を遅くするとともにファンモータ用パワートランジスタアレイドライブ回路９の電源電圧を低く設定でき、外来ノイズに対する信頼性が高く消費電力の少ない空気調和機を実現できる。
（実施の形態２）
図２は、第一の実施例における低電圧検知回路１３を、インバータ用コンデンサ３により平滑されたＤＣ電圧に接続し、インバータ用コンデンサ３により平滑さらたＤＣ電圧の低下を検知しファンモータドライブ信号１１をファンモータ用パワートランジスタアレイ８のトランジスタがすべてＯＦＦする側に強制的に変更するように動作するようにしたものである。
【００１１】
本実施の形態では、実施の形態１の他に、インバータ用コンデンサ３により平滑されたＤＣ電圧が圧縮機モータ４のロックにより急激に低下しファンモータ用パワートランジスタアレイドライブ回路９の電源電圧が低下する場合において低電圧検知回路が働きファンモータ用パワートランジスタアレイ８を確実に保護することが可能となり、更に空気調和機の信頼性を高めることができる。
【００１２】
【発明の効果】
上記記載の内容から明らかなように、本願発明によれば、低電圧検知回路を商用ＡＣ電源に接続し、その電圧の遮断または低下によりファンモータ用パワートランジスタアレイに保護をかけることにより、低電圧検知回路の応答性を遅くし、かつ、ファンモータ用パワートランジスタアレイドライブ回路の電源電圧を低くすることができるので、外来ノイズに強く消費電力の低い空気調和機を実現することができる。
【００１３】
また、本願の他の発明によれば、低電圧検知回路をインバータ用コンデンサにより平滑されたＤＣ電圧に接続し、その低下によりファンモータ用パワートランジスタアレイに保護をかけることにより、圧縮機モータのロックによる急激なＤＣ電圧の低下時にもファンモータ用パワートランジスタアレイの保護をかけることができるので、さらに信頼性を高めることができる。
【図面の簡単な説明】
【図１】本発明の実施の形態を示す空気調和機の回路図
【図２】本発明における他の実施の形態を示す空気調和機の回路図
【図３】従来の室内・室外分離型空気調和機の回路図
【符号の説明】
１  商用ＡＣ電源
２  ダイオードブリッジ
３  インバータ用コンデンサ
４  圧縮機モータ
５  圧縮機モータ用パワートランジスタアレイ
６  圧縮機モータ用パワートランジスタアレイドライブ回路
７  ファンモータ
８  ファンモータ用パワートランジスタアレイ
９  ファンモータ用パワートランジスタアレイドライブ回路
１０  制御部
１１  ファンモータドライブ信号ライン
１２  ＤＣ／ＤＣコンバータ
１３  低電圧検知回路
【図１】
0003763256.tif 000002
【図２】
0003763256.tif 000003
【図３】
0003763256.tif 000004